(57)【要約】  【課題】接続操作および起動操作が簡単で、しかも、データ転送が正常に機能しなかった場合に、問題の所在箇所を容易に認識可能とする。  【解決手段】計測器１との接続用端子９と、通信用カード５用スロット４と、計測器から計測データを取得するデータ取得部１１と、計測データを通信用カードを介しインターネットを経由して所定のサーバに転送するデータ転送部１２と、データ取得部及びデータ転送部の動作を制御する制御部１３とを備える。データ転送操作用のスイッチとして電源スイッチ１４および送信スイッチ１５を備え、動作表示部として第１〜第３表示ランプ２０、２１、２２を備え、第１〜第３表示ランプはそれぞれ２種類の表示色、消灯、点灯、および点滅の組み合わせからなる各表示モードを有し、制御部は、電源スイッチおよび送信スイッチの操作状態に応じて、第１〜第３表示ランプの各表示モードの組み合わせにより動作状態を表示する制御を行う。【選択図】図２
2006243934.tif 000002
【特許請求の範囲】
【請求項１】
計測器と接続するための接続端子と、
通信用カードを装着するためのカードスロットと、
前記接続端子を介して前記計測器から計測データを取得するデータ取得部と、
前記計測データを前記カードスロットに装着された前記通信用カードを介しインターネットを経由して所定のサーバに転送するデータ転送部と、
前記データ取得部及び前記データ転送部の動作を制御する制御部とを備え、
前記計測器と接続され、前記通信用カードが装着された状態で所定のデータ転送操作が行われることにより、前記計測データを前記サーバに転送する計測データ転送装置において、
前記データ転送操作用のスイッチとして電源スイッチおよび送信スイッチを備え、動作表示部として第１〜第３表示ランプを備え、
前記第１〜第３表示ランプはそれぞれ２種類の表示色、消灯、点灯、および点滅の組み合わせからなる各表示モードを有し、
前記制御部は、前記電源スイッチおよび前記送信スイッチの操作状態に応じて、前記第１〜第３表示ランプの前記各表示モードの組み合わせにより動作状態を表示する制御を行うことを特徴とする計測データ転送装置。
【請求項２】
前記制御部は、前記計測器及び前記通信用カードとの接続状態の良否を検出し、前記動作表示部により前記接続状態の検出結果を表示するとともに、前記接続状態の検出結果が不良である場合は、動作を停止するとともに、所定の時間が経過した時点で電源を切断する請求項１記載の計測データ転送装置。
【請求項３】
前記サーバから送信される警告データを受信可能であり、前記警告データを受信したときに、前記制御部は前記動作表示部に所定の警告表示モードを取らせる請求項１記載の計測データ転送装置。
【請求項４】
前記計測器は、医療機器、歩数計、電気の消費量を測定する電気メータ、水道水の消費量を測定する水道メータ、ログデータを出力可能な生産設備、または動作状態を示すデータを出力可能な家電製品である請求項１記載の計測データ転送装置。
【請求項５】
前記医療機器は、血圧計、脈拍計、または血糖値計である請求項７記載の計測データ転送装置。
【発明の詳細な説明】
【技術分野】
【０００１】
本発明は、たとえば血圧計、血糖値計等の計測器が出力する計測データを、インターネットを通じて医療機関等のサーバへ転送して、医療機関による健康管理を受ける在宅健康管理システムに用いるための、計測データ転送装置に関する。
【背景技術】
【０００２】
近年、在宅で健康を管理するために、患者自身が日常的に生体情報、たとえば血圧、血糖値等を測定し、測定結果を定期的に医療機関へ送って健康管理を受ける在宅健康管理システムの重要性が認識されている。そのようなシステムの恩恵を受けるためには、たとえば、測定結果を一日一度、または１週に一度というような頻度で医療機関に送信する必要がある。
【０００３】
しかし、測定結果を記録すること自体が非常に煩わしく、また測定結果の記録を医療機関へ送るために、例えばインターネットを利用することも、このような作業が要求される患者には比較的高齢者が多いため、その操作が理解し難いというのが実情である。このような事情から、生体情報の計測器そのものに通信手段を備えさせ、自動的にインターネットや携帯電話を利用して、患者の生体情報を定期的に送信するシステムが種々提案されている。
【０００４】
しかし、計測器自身にインターネットを介して通信する機能、または携帯電話用の無線回線網を介して通信する機能を有していたり、または電話機との接続のためのアダプタと計測器とが一体化されていたりするため、必然的にコスト高となる。また生体情報を測定する装置そのものは比較的小型であっても、通信機能を有するために大型化し、また重量も増大してしまう。更に、種々の煩瑣な操作が依然として必要であるため、機械操作の苦手な特に老人にとっては使い難いものとなっていた。
【０００５】
これに対して、例えば特許文献１には、計測器とは分離して、単独で構成された生体情報送信用アダプタを用いることが記載されている。すなわち、それ自身は比較的小型であり、また比較的軽量である生体情報送信用アダプタを、必要に応じて計測器と接続可能とする。一方では、生体情報送信用アダプタを携帯電話機と必要に応じて接続可能として、両者が接続されることのみで自動的に、計測器から生体情報を入力し、それを自動的に携帯電話機へ出力させて、携帯電話機から送信させるように構成される。
【特許文献１】特開２００３−３２５４６０号公報
【発明の開示】
【発明が解決しようとする課題】
【０００６】
上記従来例の生体情報送信用アダプタは、操作は比較的簡単であるが、データ転送が順調に機能しなかった場合、問題の所在箇所を探求することが困難である。例えば、接続操作が確実に行われているかどうか、あるいは、送信用アダプタや携帯電話機の動作に不良はないのかどうか、等について、機械操作の苦手な特に老人にとっては判断が困難である。また、送信用アダプタと携帯電話機との接続は、老人にとっては多少煩雑である。
【０００７】
従って、本発明は、接続操作および起動操作が簡単で、しかも、データ転送が正常に機能しなかった場合に、問題の所在箇所を容易に認識することが可能な計測データ転送装置を提供することを目的とする。
【課題を解決するための手段】
【０００８】
本発明の計測データ転送装置は、計測器と接続するための接続端子と、通信用カードを装着するためのカードスロットと、前記接続端子を介して前記計測器から計測データを取得するデータ取得部と、前記計測データを前記カードスロットに装着された前記通信用カードを介しインターネットを経由して所定のサーバに転送するデータ転送部と、前記データ取得部及び前記データ転送部の動作を制御する制御部とを備え、前記計測器と接続され、前記通信用カードが装着された状態で所定のデータ転送操作が行われることにより、前記計測データを前記サーバに転送する。前記データ転送操作用のスイッチとして電源スイッチおよび送信スイッチを備え、動作表示部として第１〜第３表示ランプを備え、前記第１〜第３表示ランプはそれぞれ２種類の表示色、消灯、点灯、および点滅の組み合わせからなる各表示モードを有し、前記制御部は、前記電源スイッチおよび前記送信スイッチの操作状態に応じて、前記第１〜第３表示ランプの前記各表示モードの組み合わせにより動作状態を表示する制御を行うことを特徴とする。
【発明の効果】
【０００９】
上記構成の計測データ転送装置によれば、電源スイッチおよび送信スイッチのみを用いて操作を行うように構成することにより、起動操作を複雑にすることなく、データ転送が順調に機能しなかった場合の問題の所在箇所を容易に特定し、さらに、第１〜第３表示ランプによる、２種類の表示色、消灯、点灯、および点滅の組み合わせからなる各表示モードを用いることにより、操作者が問題の所在箇所を容易に認識可能とすることができる。また、通信用カードを用いることにより、通信機能を得るための操作が簡単である。
【発明を実施するための最良の形態】
【００１０】
上記構成の本発明の計測データ転送装置において、前記制御部は、前記計測器及び前記通信用カードとの接続状態の良否を検出し、前記動作表示部により前記接続状態の検出結果を表示するとともに、前記接続状態の検出結果が不良である場合は、動作を停止するとともに、所定の時間が経過した時点で電源を切断する構成とすることができる。
【００１１】
また、上記構成の計測データ転送装置において、前記サーバから送信される警告データを受信可能であり、前記警告データを受信したときに、前記制御部は前記動作表示部を所定の警告表示モードに動作させる構成とすることができる。
【００１２】
また、前記計測器は、医療機器、歩数計、電気の消費量を測定する電気メータ、水道水の消費量を測定する水道メータ、ログデータを出力可能な生産設備、または動作状態を示すデータを出力可能な家電製品である構成とすることができる。
【００１３】
また、前記医療機器は、血圧計、脈拍計、または血糖値計である構成とすることができる。
【００１４】
以下、本発明の実施の形態について、図面を参照して具体的に説明する。
【００１５】
図１は、本実施の形態におけるデータ転送装置を用いたデータ収集システムの構成を模式的に示す。このデータ収集システムは、血圧計１を計測器として各端末システムが構成されている。各血圧計１には、ケーブル２を介してデータ転送装置３がそれぞれ接続される。また、データ転送装置３に設けられたカードスロット４には、通信用カード５が装着される。通信用カード５としては、インターネット６に接続するための通信機能を有するどのようなカードを用いても良い。
【００１６】
このデータ収集システムはさらに、各血圧計１によって測定された血圧データを蓄積するためにインターネット６に接続されたサーバ７と、インターネット６に接続可能なドクター用コンピュータ（以下「ドクターＰＣ」と称する）８とを含む。ドクターＰＣ８は、サーバ７に蓄積された血圧データを医師が分析するために用いられる。
【００１７】
図２は、データ転送装置３の構成と、血圧計１および通信用カード５との接続構造を示すブロック図である。データ転送装置３は、カードスロット４を有するとともに、ケーブル２の一端と接続される接続端子９を有する。ケーブル２の他端は、血圧計１に設けられた接続端子１０と接続される。
【００１８】
データ転送装置３は、主要な要素として、データ取得部１１、データ転送部１２、及び制御部１３を有する。それらの要素は、マイクロプロセッサにより構成することができる。データ取得部１１には、接続端子１０、ケーブル２、及び接続端子９を介して、血圧計１による計測データが供給される。データ取得部１１の出力は、データ転送部１２に供給される。データ転送部１２の出力は、カードスロット４を経由して通信用カード５に供給される。制御部１３は、データ取得部１１及びデータ転送部１２の動作を制御する。
【００１９】
制御部１３には、電源スイッチ１４と送信スイッチ１５が接続される。電源スイッチ１４が投入されて電源１６がオンとなることにより、データ転送装置３の各部は電源１６から電圧が供給されて動作を開始し、更に、送信スイッチ１５が投入されることにより計測データの転送が可能となる。すなわち、電源スイッチ１４と送信スイッチ１５が操作されることにより、制御部１３は、データ取得部１１とデータ転送部１２による一連の動作が開始されるように制御する。制御部１３は、後述するように、電源１６をオフにする動作も行う。制御部１３はまた、接続端子９及びカードスロット４の端子と接続され、ケーブル２の接続状態と通信用カード５の装着状態の良否を判定する機能を有する。判定方法は通常のどのような方法を用いてもよいので、具体的な説明は省略する。
【００２０】
データ取得部１１は、制御部１３による制御により始動し、血圧計１から、計測された血圧データ、および血圧を測定した日時を特定するデータを含む血圧計データを、自動的に取得してデータ転送部１２に供給する。
【００２１】
データ転送部１２は、バッファメモリ１７、データ作成部１８及び転送処理部１９を含む。データ作成部１８には、各データ転送装置３を識別するためのシリアルナンバー、及び送信命令データが格納されている。データ取得部１１から得られる血圧計データは、一旦バッファメモリ１７に保持され、データ作成部１８により、シリアルナンバー及び送信命令データが付加されて転送データが作成される。転送データは転送処理部１９に供給されて、通信用カード５から送信するためのデータに変換される。
【００２２】
転送処理部１９は、通信用カード５を起動してインターネット６への接続処理を行い、更に、血圧計データ及びシリアルナンバーをサーバ７へ転送する処理を行う。通信用カード５からの転送のために、データ作成部１８に格納される送信命令データには、転送すべきサーバのＵＲＬ入力に関するデータが含まれる。
【００２３】
制御部１３には更に、動作状態を表示するための動作表示部として、電源ランプ２０、送信ランプ２１および警告ランプが接続されている。電源ランプ２０、送信ランプ２１および警告ランプはそれぞれ、２種類の表示色で表示可能である。例えば、各ランプは緑色と赤色のＬＥＤから構成される。従って各ランプは、２種類の表示色と、消灯、点灯、および点滅の組み合わせからなる各表示モードで動作する。
【００２４】
図３は、本実施の形態に係るデータ転送装置３の外観を示す斜視図である。データ転送装置３は、略直方体形状の筐体２３に各機能要素が収納され、筐体２３の上面に、電源スイッチ１４、送信スイッチ１５、電源ランプ２０、送信ランプ２１および警告ランプ２２が配置されている。筐体２３の後部端面に設けられたカードスロット４に、通信用カード５が挿入された状態が示される。２４は、ＡＣアダプタを使用する場合の電源コードを示す。図４は、データ転送装置３が、血圧計１と接続された状態を示す。
【００２５】
このデータ転送装置３を操作する手順としては、例えば、まず、データ転送装置３のカードスロット４に通信用カード５を装着し、またデータ転送装置３と血圧計１とをケーブル２によって接続する。次に血圧計１とデータ転送装置３の電源スイッチを投入する。次に、データ転送装置３の送信スイッチ１５を押すと、その時までに測定され血圧計１に蓄積された血圧データが、血圧計１から通信用カード５およびインターネット６を経由してサーバ７へ自動的に送信される。
【００２６】
以上のように操作されたときのデータ転送装置３の動作について、図５Ａ〜５Ｄのフロー図を参照して説明する。なお、同フロー図においては、電源ランプ２０、送信ランプ２１および警告ランプをそれぞれ、Ａ、Ｂ、Ｃで示し、以下の説明ではランプＡ、ランプＢ、ランプＣと記す。また、各ランプの点灯状態について、緑／赤点滅とは、緑色のＬＥＤと赤色のＬＥＤを交互に、０．５秒間点灯、消灯を繰り返すことを意味する。緑点滅、あるいは赤点滅は、緑色のＬＥＤ、あるいは赤色のＬＥＤの点灯、消灯を１秒の間隔で繰り返すことを意味する。
【００２７】
まず図５ＡのステップＳ１０において、電源スイッチ１４がオフの状態であれば、ランプＡ、Ｂ、Ｃは消灯状態（ステップＳ１１）が維持される。電源スイッチ１４が投入される（ステップＳ１０）と、電源１６がオンとなり（ステップＳ１２）、ダイアグモードが開始され（ステップＳ１３）、データ転送装置３の診断が行われる。ステップＳ１４において診断終了か否かが判断され、診断が終了するまでは、ランプＡ、Ｂ、Ｃはいづれも、緑／赤点滅のモードとなる（ステップＳ１５）。
【００２８】
診断が終了（ステップＳ１４）したら、異常の有無が判断され（ステップＳ１６）、異常が検出された場合、ランプＡ、Ｂ、Ｃはいづれも赤点滅のモードとなる（ステップＳ１７）。その後、所定時間が経過する（ステップＳ１８）と、制御部１３により電源１６がオフにされる（ステップＳ１９）。ステップＳ１６で異常が検出されなかった場合は、ランプＡは緑点灯モード、ランプＢ、Ｃはいづれも消灯のモードとなる（ステップＳ２０）。
【００２９】
次に、通信用カード５の装着有無の検出が開始される（ステップＳ２１）。検出が終了するまで（ステップＳ２２）は、ランプＡ、Ｂ、Ｃはいづれも、緑／赤点滅のモードとなる（ステップＳ２３）。検出動作が終了（ステップＳ２２）し、通信用カード５の装着有無の検出不可、あるいは検出異常であれば（ステップＳ２４）、ランプＡは緑点滅モード、ランプＢ、Ｃはいづれも消灯のモードとなる（ステップＳ２５）。それにより、通信用カード５の装着状態を修正することができ、装着不良を原因とするデータの転送エラーを防止することができる。この状態で、タイムアウトか否かが判断され（ステップＳ２６）、タイムアウトでなければ、再度、通信用カード５の装着有無の検出が開始される（ステップＳ２１）。ステップＳ２６でタイムアウトと判断されると、電源１６がオフにされる（ステップＳ２７）。ステップＳ２４で検出不可あるいは異常が検出されなかった場合は、図５Ｂに示すように、ランプＡは緑点灯モード、ランプＢ、Ｃはいづれも消灯のモードとなる（ステップＳ２８）。
【００３０】
次に、計測器すなわち血圧計１の接続検出が開始される（ステップＳ２９）。検出が終了するまで（ステップＳ３０）は、ランプＡ、Ｂ、Ｃはいづれも、緑／赤点滅のモードとなる（ステップＳ３１）。検出動作が終了（ステップＳ３０）し、血圧計１の接続検出不可、あるいは検出異常であれば（ステップＳ３２）、ランプＡは緑点滅モード、ランプＢ、Ｃはいづれも消灯のモードとなる（ステップＳ３３）。それにより、血圧計１の接続状態を修正することができ、接続不良を原因とするデータの転送エラーを防止することができる。この状態で、タイムアウトか否かが判断され（ステップＳ３４）、タイムアウトでなければ、再度、計測器の接続有無の検出が開始される（ステップＳ２９）。ステップＳ３４でタイムアウトと判断されると、電源１６がオフにされる（ステップＳ３５）。ステップＳ３２で検出不可あるいは異常が検出されなかった場合は、ランプＡは緑点灯モード、ランプＢ、Ｃはいづれも消灯のモードとなる（ステップＳ３６）。
【００３１】
次に、送信スイッチ１５がオンになっているか否かが判断される（ステップＳ３７）。送信スイッチ１５がオンになっておらず、所定時間の経過によりタイムアウトと判断されると（ステップＳ３８）、電源１６がオフにされる（ステップＳ３９）。送信スイッチ１５がオンになっていれば（ステップＳ３７）、通信用カード５により発呼が開始される（ステップＳ４０）。発呼が完了するまでは（ステップＳ４１）、ランプＡ、Ｂは緑点灯モード、ランプＣは消灯モードとなる（ステップＳ４２）。発呼が完了し（ステップＳ４１）、発呼エラーが検出されると（ステップＳ４３）、ランプＡは緑点灯モード、ランプＢは赤点滅モード、ランプＣは消灯モードとなる（ステップＳ４４）。この状態で、所定時間の経過によりタイムアウトと判断されると（ステップＳ４５）、電源１６がオフにされる（ステップＳ４６）。ステップＳ４３で発呼エラーが検出されなかった場合は、図５Ｃに示すように、ランプＡ、Ｂは緑点灯モード、ランプＣは消灯モードとなる（ステップＳ４７）。
【００３２】
次に、計測器（血圧計１）のデータを受信する（ステップＳ４８）。受信が完了するまでは（ステップＳ４９）、ランプＡ、Ｂは緑点灯モード、ランプＣは消灯モードとなる（ステップＳ５０）。受信が完了し（ステップＳ４９）、受信エラーが検出されると（ステップＳ５１）、ランプＡは緑点灯モード、ランプＢは赤点滅モード、ランプＣは消灯モードとなる（ステップＳ５２）。この状態で、所定時間の経過によりタイムアウトと判断されると（ステップＳ５３）、電源１６がオフにされる（ステップＳ５４）。ステップＳ５１で受信エラーが検出されなかった場合は、ランプＡ、Ｂは緑点灯モード、ランプＣは消灯モードとなる（ステップＳ５５）。
【００３３】
次に、サーバ７へデータを送信する（ステップＳ５６）。送信が完了するまでは（ステップＳ５７）、ランプＡ、Ｂは緑点灯モード、ランプＣは消灯モードとなる（ステップＳ５８）。送信が完了し（ステップＳ５７）、送信異常が検出されると（ステップＳ５９）、ランプＡは緑点灯モード、ランプＢは赤点滅モード、ランプＣは消灯モードとなる（ステップＳ６０）。この状態で、所定時間の経過によりタイムアウトと判断されると（ステップＳ６１）、電源１６がオフにされる（ステップＳ６２）。
【００３４】
ステップＳ５９で送信異常が検出されなかった場合は、図５Ｄに示すように、ランプＡ〜Ｃはいづれも緑点灯モードとなる（ステップＳ６３）。この状態で、転送した計測データに関し特定の通知、例えば血圧値が所定の閾値を超えていることの警告を受信すると（ステップＳ６４）、ランプＡは緑点灯モード、ランプＢは消灯モード、ランプＣは赤点滅モードとなる（ステップＳ６５）。その後電源スイッチ１４がオフにされない限り、この表示モードが維持される。電源スイッチ１４がオフにされる（ステップＳ６６）と、電源１６がオフにされる（ステップＳ６８）。ステップＳ６４で警告を受信しなかった場合は、タイムアウト（ステップＳ６７）後に、電源１６がオフにされる（ステップＳ６８）。
【００３５】
以上の結果、サーバ７に血圧計データが蓄積され、ドクターＰＣ８により、インターネット６を介して患者の状態を分析することが可能となる。そのためのデータ転送装置３の操作は、電源スイッチ１４および送信スイッチ１５をオンとし、電源ランプ２０、送信ランプ２１および警告ランプ２２の表示モードにより動作を確認するだけであり、極めて簡単である。
【００３６】
このように、本実施の形態のデータ転送装置３によれば、血圧計１によって測定された血圧計データを、通信用カード５から、インターネット６を経由してサーバ７にほぼ自動的に転送することができる。また、データ転送装置３に接続すべき通信用カード５は、広く普及して入手が容易であり、小型であるため取り扱いも便利である。従って、例えば、遠隔地の患者が血圧計１によって自らの血圧を毎日、１日に３回ないし４回測定し、その血圧計データを測定の都度サーバ７へ送信することは容易である。あるいは、１日分をまとめてサーバ７へ送信することも容易である。
【００３７】
なお、上述の実施の形態では、データ転送装置３を血圧計１に接続する例を示したが、計測したデータを通信によって転送可能な計測器であれば、本実施の形態のデータ転送装置３に接続して、同様の効果を得ることが可能である。例えば、患者の脈拍を測定するための脈拍計、透析機器、血糖値計等の他の医療機器にデータ転送装置を接続してもよい。
【００３８】
また、電気の消費量を測定するための電気メータ、水道水の消費量を測定する水道メータ等とデータ転送装置３を接続してもよい。あるいは、物を生産するための生産設備にデータ転送装置３を接続し、生産設備の動作状態に関連するログデータを転送することもできる。あるいは、家電製品にデータ転送装置３を接続して、家電製品の動作状態を示すデータ、例えばバッテリー切れの有無を示すデータ等を転送することもできる。
【産業上の利用可能性】
【００３９】
本発明の計測データ転送装置は、操作が簡単で、しかも、データ転送が正常に機能しなかった場合に、問題の所在箇所を容易に認識可能であるため、在宅健康管理システムに用いる計測データ転送の手段として好適である。
【図面の簡単な説明】
【００４０】
【図１】本実施の形態におけるデータ転送装置を用いたデータ収集システムの構成を模式的に示す図
【図２】同データ転送装置の構成を示すブロック図
【図３】同データ転送装置の外観を示す斜視図
【図４】同データ転送装置が、血圧計接続され通信用カードを装着された状態を示す斜視図
【図５Ａ】同データ転送装置の動作を示すフロー図
【図５Ｂ】同データ転送装置の他の動作を示すフロー図
【図５Ｃ】同データ転送装置の更に他の動作を示すフロー図
【図５Ｄ】同データ転送装置の更に他の動作を示すフロー図
【符号の説明】
【００４１】
１  血圧計
２  ケーブル
３  データ転送装置
４  カードスロット
５  通信用カード
６  インターネット
７  サーバ
８  ドクター用コンピュータ
９、１０  接続端子
１１  データ取得部
１２  データ転送部
１３  制御部
１４  電源スイッチ
１５  送信スイッチ
１６  電源
１７  バッファメモリ
１８  データ作成部
１９  転送処理部
２０  電源ランプ
２１  送信ランプ
２２  警告ランプ
２３  筐体
２４  電源コード
【図１】
2006243934.tif 000003
【図２】
2006243934.tif 000004
【図３】
2006243934.tif 000005
【図４】
2006243934.tif 000006
【図５Ａ】
2006243934.tif 000007
【図５Ｂ】
2006243934.tif 000008
【図５Ｃ】
2006243934.tif 000009
【図５Ｄ】
2006243934.tif 000010